【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】
情報を記録再生する磁気ヘッドと、
垂直記録層を有する垂直磁気記録媒体とを備え、
前記垂直記録層は、該磁気ヘッドの位置決め信号が記録されたサーボ領域と、ユーザデータが記録されるユーザデータ領域とを有し、
前記サーボ領域は、サーボ信号が記録された領域と前記サーボ信号の周波数よりも高い周波数を有するダミー信号が記録された領域とを有することを特徴とする磁気記録装置。
【請求項２】
前記サーボ領域はバースト部を有し、前記バースト部はバースト信号が記録された第１の領域と前記バースト信号の周波数よりも高い周波数を有するダミー信号が記録された第２の領域とを有することを特徴とする請求項１記載の磁気記録装置。
【請求項３】
前記バースト部の第１の領域は、トラック方向及びトラック幅方向を第２の領域に囲まれていることを特徴とする請求項２記載の磁気記録装置。
【請求項４】
前記ダミー信号は、ＤＣオフセットを抑制することを特徴とする請求項１、２又は３に記載の磁気記録装置。
【請求項５】
前記垂直磁気記録媒体は、垂直磁気記録層より下に軟磁性裏打ち層を持つことを特徴とする請求項１又は２に記載の磁気記録装置。
【請求項６】
前記垂直磁気記録媒体は、直流磁化に対するレスポンスを持つことを特徴とする請求項１又は２に記載の磁気記録装置。
【請求項７】
前記ダミー信号の最低周波数は、前記ユーザデータ領域に記録される信号の最低記録周波数よりも高いことを特徴とする請求項１又は２に記載の磁気記録装置。
【請求項８】
前記ダミー信号が記録された領域の周波数は、前記サーボ信号が記録された領域の周波数の整数倍であることを特徴とする請求項１に記載の磁気記録装置。
【請求項９】
前記第２の領域の周波数は、前記サーボ信号が記録された領域の周波数の整数倍であることを特徴とする請求項２に記載の磁気記録装置。
【請求項１０】
前記第２の領域の周波数は、前記第１の領域の周波数の整数倍であることを特徴とする請求項２に記載の磁気記録装置。
【請求項１１】
情報を記録再生する磁気ヘッドと、
垂直記録層を有する垂直磁気記録媒体とを有し、
前記垂直記録層は、該磁気ヘッドの位置決め信号が記録されたサーボ領域と、ユーザデータが記録されるユーザデータ領域とを有し、
前記サーボ領域は、サーボ信号が記録された領域と前記サーボ信号のビット長よりも短いビット長を有するダミー信号が記録された領域とを有することを特徴とする磁気記録装置。
【請求項１２】
前記サーボ領域はバースト部を有し、前記バースト部はバースト信号が記録された第１の領域と前記バースト信号のビット長よりも短いビット長を有するダミー信号が記録された第２の領域とを有することを特徴とする請求項１１記載の磁気記録装置。
【請求項１３】
前記バースト部の第１の領域は、トラック方向及びトラック幅方向を第２の領域に囲まれていることを特徴とする請求項１２に記載の磁気記録装置。
【請求項１４】
前記ダミー信号は、ＤＣオフセットを抑制することを特徴とする請求項１１、１２又は１３に記載の磁気記録装置。
【請求項１５】
前記垂直磁気記録媒体は、垂直磁気記録層より下に軟磁性裏打ち層を持つことを特徴とする請求項１１又は１２に記載の磁気記録装置。
【請求項１６】
前記垂直磁気記録媒体は、直流磁化に対するレスポンスを持つことを特徴とする請求項１１又は１２に記載の磁気記録装置。
【請求項１７】
前記ダミー信号の最低ビット長は、前記ユーザデータ領域に記録される信号の最低ビット長よりも短いことを特徴とする請求項１１又は１２に記載の磁気記録装置。
【請求項１８】
前記ダミー信号が記録された領域のビット長は、前記サーボ信号が記録された領域のビット長の整数倍であることを特徴とする請求項１１に記載の磁気記録装置。
【請求項１９】
前記第２の領域のビット長は、前記サーボ信号が記録された領域のビット長の整数倍であることを特徴とする請求項１２に記載の磁気記録装置。
【請求項２０】
前記第２の領域のビット長は、前記第１の領域のビット長の整数倍であることを特徴とする請求項１２に記載の磁気記録装置。
【請求項２１】
情報を記録再生する磁気ヘッドと、
垂直記録層を有する垂直磁気記録媒体とを有し、
前記垂直記録層は、該磁気ヘッドの位置決め信号が記録されたサーボ領域と、ユーザデータが記録されるユーザデータ領域とを有し、
前記サーボ領域は、サーボ信号が記録された領域とダミー信号が記録された領域とを有し、前記ダミー信号が記録された領域の記録密度は前記サーボ信号が記録された領域の記録密度よりも高いことを特徴とする磁気記録装置。
【請求項２２】
前記サーボ領域はバースト部を有し、前記バースト部はバースト信号が記録された第１の領域とダミー信号が記録された第２の領域とを有し、前記ダミー信号が記録された第２の領域の記録密度は前記バースト信号が記録された第１の領域の記録密度よりも高いことを特徴とする磁気記録装置。
【請求項２３】
前記バースト部の第１の領域は、トラック方向及びトラック幅方向を第２の領域に囲まれていることを特徴とする請求項２２に記載の磁気記録装置。
【請求項２４】
前記ダミー信号は、ＤＣオフセットを抑制することを特徴とする請求項２１、２２又は２３に記載の磁気記録装置。
【請求項２５】
前記垂直磁気記録媒体は、垂直磁気記録層より下に軟磁性裏打ち層を持つことを特徴とする請求項２１記載の磁気記録装置。
【請求項２６】
前記垂直磁気記録媒体は、直流磁化に対するレスポンスを持つことを特徴とする請求項２１又は２２に記載の磁気記録装置。
【請求項２７】
情報を記録再生する磁気ヘッドと、
磁気ヘッドの位置決め信号が記録されたサーボ領域とユーザデータが記録されるユーザデータ領域とを有する垂直記録層を有する垂直磁気記録媒体と、
前記磁気ヘッドの位置決め信号を処理する信号処理回路とを備え、
前記サーボ領域はバースト部を有し、前記バースト部はバースト信号を有する第１の領域と、再生振幅が略ゼロとされている第２の領域とを備えることを特徴とする磁気記録装置。
【請求項２８】
前記バースト部の第１の領域は、トラック方向及びトラック幅方向を第２の領域に囲まれていることを特徴とする請求項２７記載の磁気記録装置。
【請求項２９】
前記第２の領域は、ＤＣオフセットを抑制することを特徴とする請求項２７記載の磁気記録装置。
【請求項３０】
前記垂直磁気記録媒体は、垂直磁気記録層より下に軟磁性裏打ち層を持つことを特徴とする請求項２７に記載の磁気記録装置。
【請求項３１】
前記再生振幅が略ゼロとされた信号を有する第２の領域は、前記バースト信号の周波数よりも高い周波数を有するダミー信号が記録されていることを特徴とする請求項２７記載の磁気記録装置。
【請求項３２】
前記再生振幅が略ゼロとされた信号を有する第２の領域は、前記バースト信号のビット長よりも短いビット長を有するダミー信号が記録されていることを特徴とする請求項２７記載の磁気記録装置。
【請求項３３】
情報を記録再生する磁気ヘッドと、
磁気ヘッドの位置決め信号が記録されたサーボ領域とユーザデータが記録されるユーザデータ領域とを有する垂直記録層を有する垂直磁気記録媒体と、
前記磁気ヘッドの位置決め信号を処理する信号処理回路とを備え、
前記サーボ領域はバースト部を有し、前記バースト部はバースト信号を有する第１の領域と、磁化量が略ゼロとされている第２の領域とを備えることを特徴とする磁気記録装置。
【請求項３４】
前記バースト部の第１の領域は、トラック方向及びトラック幅方向を第２の領域に囲まれていることを特徴とする請求項３３記載の磁気記録装置。
【請求項３５】
前記第２の領域は、ＤＣオフセットを抑制することを特徴とする請求項３３記載の磁気記録装置。
【請求項３６】
前記垂直磁気記録媒体は、垂直磁気記録層より下に軟磁性裏打ち層を持つことを特徴とする請求項３３に記載の磁気記録装置。
【請求項３７】
前記再生振幅が略ゼロとされた信号を有する第２の領域は、前記バースト信号の周波数よりも高い周波数を有するダミー信号が記録されていることを特徴とする請求項３３記載の磁気記録装置。
【請求項３８】
前記再生振幅が略ゼロとされた信号を有する第２の領域は、前記バースト信号のビット長よりも短いビット長を有するダミー信号が記録されていることを特徴とする請求項３３記載の磁気記録装置。